(57)【要約】【課題】火災感知器を利用し、火事等の緊急時に自動解錠できる施錠機構を提供する。【解決手段】。建物の窓や出入り口等の開口部１を開閉する面格子や扉等の開閉仕切具２の端部可動枠６ａと、端部可動枠６ａが当接する開口部１側の固定枠３との間に介装して、開閉仕切具２を閉鎖位置に施錠するための開閉仕切具施錠機構であって、端部可動枠６ａに取り付けられた係止片７と、係止片７に対し係脱自在な被係止片８を有し、固定枠３内で係止片７が被係止片８に係止する施錠位置と係止片が被係止片８から離脱する解錠位置とに亘って上下スライド可能に支持されるスライド杆９と、スライド杆９を施錠位置に付勢するバネ１０と、モータ１１で駆動されるネジ軸１２の回転により上下動するガイドブロック１３と、スライド杆９からガイドブロック１３の上側へ突設された押上ピン１５と、制御手段１４とからなる。【選択図】図２
2008069530.tif 000002
【特許請求の範囲】
【請求項１】
建物の窓や出入り口等の開口部を開閉する面格子や扉等の開閉仕切具の端部可動枠と、端部可動枠が当接する開口部側の固定枠との間に介装して、開閉仕切具を閉鎖位置に施錠するための開閉仕切具施錠機構であって、
常時バネで開放側へ付勢される端部可動枠に取り付けられた係止片と、係止片に対し係脱自在な被係止片を有し、固定枠内で係止片が被係止片に係止する施錠位置と係止片が被係止片から離脱する解錠位置とに亘って上下スライド自在なスライド杆と、スライド杆を施錠位置に付勢するバネと、駆動用モータによって駆動されるネジ軸の回転により上下動するガイドブロックと、スライド杆からガイドブロックの上側へ突設され、ガイドブロックの上動により押し上げられてスライド杆を上方へスライドさせる押上ピンと、平常時はバネで施錠位置に保持されているスライド杆を、火事等の緊急時に火災感知器が熱又は煙を検知した検知信号により駆動用モータを回転させ、ガイドブロックを上動させてスライド杆を解錠位置へスライドさせ、開閉仕切具の開放後、モータを逆回転させてガイドブロックをスライド杆が施錠位置へ戻る位置まで下動させるように制御する制御手段とからなり、係止片と被係止片との対向端部には互いにテーパ係合するテーパ部を設け、開放位置にある開閉仕切具を閉鎖する際に、係止片のテーパ部を被係止片のテーパ部に衝当させ、そのテーパ作用で係止片を被係止片に係止させて開閉仕切具を施錠するようにした開閉仕切具施錠機構。
【請求項２】
ガイドブロックは、押上ピンを介してスライド杆が解錠位置に達するまで上動した時、上動限用スイッチの検知による駆動用モータの逆回転により下動を開始し、スライド杆が施錠位置へ戻る位置まで下動した時、下動限用スイッチの検知により停止するようになっている請求項１に記載の開閉仕切具施錠機構。
【発明の詳細な説明】
【技術分野】
【０００１】
本発明は、一戸建て住宅やマンションあるいはビル等における建物の窓や出入り口等の開口部を開閉する面格子、引き違い戸、扉、シャッター等の開閉仕切具を閉鎖位置に施錠する開閉仕切具施錠機構に関するもので、特に、火事等の緊急時に自動的に解錠できるようにした開閉仕切具施錠機構に関する。
【背景技術】
【０００２】
例えば面格子は、従来、防犯目的から窓開口部の室外側に固定して設けられていたが、固定式の面格子では、火災発生時等の緊急時には窓開口部からの脱出が阻まれて惨事を招くおそれがある。そこで本出願人は、例えば特許文献１に示すように、面格子を、窓開口部の外側へ開放回動可能な回動式としたり、窓開口部の側方へ開放移動可能なスライド式としたりして、平常時は施錠装置によりその面格子を窓開口部側の固定枠に対し施錠し、火災発生時等の緊急時にはその施錠を解錠し、面格子を開放して、窓開口部から緊急脱出できる面格子を提案している。
【特許文献１】特許第３２４７６２４号公報
【発明の開示】
【発明が解決しようとする課題】
【０００３】
特許文献１その他に示す面格子では、施錠装置の解錠はあくまでも手動操作で行なうようになっており、しかもある程度の力を要することから、幼児や身障者等によっては解錠操作を行なうことが困難な場合がある。そこで、本発明は、熱又は煙を検知する火災感知器を利用して、火事等の緊急時に自動的に解錠でき、それにより屋内の住人が容易迅速に脱出できると共に、外部からの住人の救出が容易に行なえ、更に解錠後に再び開閉仕切具を閉鎖する際の施錠をワンタッチで行なえるようにした開閉仕切具施錠機構を提供することを目的とする。
【課題を解決するための手段】
【０００４】
上記課題を解決するための手段を、後述する実施形態の参照符号を付して説明すると、請求項１に係る発明は、建物の窓や出入り口等の開口部１を開閉する面格子や扉等の開閉仕切具２の端部可動枠６ａと、端部可動枠６ａが当接する開口部１側の固定枠３との間に介装して、開閉仕切具２を閉鎖位置に施錠するための開閉仕切具施錠機構であって、
常時バネ２１で開放側へ付勢される端部可動枠６ａに取り付けられた係止片７と、係止片７に対し係脱自在な被係止片８を有し、固定枠３内で係止片７が被係止片８に係止する施錠位置と係止片７が被係止片８から離脱する解錠位置とに亘って上下スライド自在なスライド杆９と、スライド杆９を施錠位置に付勢するバネ１０と、駆動用モータ１１によって駆動されるネジ軸１２の回転により上下動するガイドブロック１３と、スライド杆９からガイドブロック１３の上側へ突設され、ガイドブロック１３の上動により押し上げられてスライド杆９を上方へスライドさせる押上ピン１５と、平常時はバネ１０で施錠位置に保持されているスライド杆９を、火事等の緊急時に火災感知器Ｋが熱又は煙を検知した検知信号により駆動用モータ１１を回転させ、ガイドブロック１３を上動させてスライド杆９を解錠位置へスライドさせ、開閉仕切具２の開放後、モータ１１を逆回転させてガイドブロック１３をスライド杆９が施錠位置へ戻る位置まで下動させるように制御する制御手段１４とからなり、係止片７と被係止片８との対向端部には互いにテーパ係合するテーパ部７ｔ，８ｔを設け、開放位置にある開閉仕切具２を閉鎖する際に、係止片７のテーパ部７ｔを被係止片８のテーパ部８ｔに衝当させ、そのテーパ作用で係止片７を被係止片８に係止させて開閉仕切具２を施錠するようにしたことを特徴とする。
【０００５】
請求項２は、請求項１に記載の開閉仕切具施錠機構において、ガイドブロック１３は、押上ピン１５を介してスライド杆９が解錠位置に達するまで上動した時、上動限用スイッチ１８の検知による駆動用モータ１１の逆回転により下動を開始し、スライド杆９が施錠位置へ戻る位置まで下動した時、下動限用スイッチ１９の検知により停止するようになっていることを特徴とする。
【発明の効果】
【０００６】
上記解決手段による発明の効果を、後述する実施形態の参照符号を付して説明すると、請求項１に係る発明によれば、火事等の緊急時に火災感知器Ｋが熱又は煙を検知した時、その検知信号が制御手段１４に送られて、駆動用モータ１１の回転によりガイドブロック１３が上動してスライド杆９が解錠位置へスライドし、自動的に解錠状態となって、窓開口部等の開口部が開放されるから、屋内の住人は容易迅速に脱出することができ、また屋外からの住人の救出を容易に行なうことができる。また、開放位置にある開閉仕切具２を閉鎖する際は、開閉仕切具を閉じる方向にスライドさせて固定枠３に突き当てるようにすれば、係止片７のテーパ部７ｔが固定枠３側の被係止片８のテーパ部８ｔに対し衝当して、そのテーパ作用により係止片７が被係止片８に係止するから、開閉仕切具をワンタッチで施錠することができる。
【０００７】
請求項２に記載のように、ガイドブロック１３は、押上ピン１５を介してスライド杆９が解錠位置に達するまで上動した時に上動限用スイッチ１８の検知による駆動用モータ１１の逆回転により下動を開始し、スライド杆９が施錠位置へ戻る位置まで下動した時に下動限用スイッチ１９の検知により停止するようになっているから、制御手段１４によるスライド杆９の施錠位置から解錠位置へのスライド動作及び解錠位置から施錠位置へのスライド動作を的確に行なわせることができる。
【発明を実施するための最良の形態】
【０００８】
以下に本発明の好適な実施形態を図面に基づいて説明すると、図１の(a) は開閉仕切具として使用した面格子が閉鎖位置にある状態を室内側から見た正面図であり、(b) は同面格子が一部開放位置にある状態の正面図である。この図１の(a) ，(b) において、１は建物の窓開口部で、この窓開口部１内に、開閉仕切具としての面格子２が配設されている。３は窓開口部１内の一端部に固定された固定枠で、この固定枠３と、面格子２の端部可動枠６ａとの間に、面格子２を閉鎖位置に施錠するための開閉仕切具施錠機構４が介装されている。
【０００９】
開閉仕切具としての面格子２は、例えば周知構造のスライド式面格子で、窓開口部１に固定して取り付けられる上下一対の中空状ガイドレール５，５と、両ガイドレール５，５上にこれを横切るように配置され且つガイドレール５の長手方向に並列状に配列される多数の格子６…と、ガイドレール５の中空部内に挿通される筒状部（図示省略）を有してガイドレール５にスライド可能に係嵌されると共に各格子６に固定されるスライダー（図示省略）と、このスライダーを介して格子６を所定間隔おきに連結固定する紐状体（図示省略）とからなり、紐状体は、各ガイドレール５の中空部内に挿通させると共に各スライダーの筒状部内に挿通させ、各スライダーは、その筒状部をかしめることによって紐状体の所定位置に固定させる。
【００１０】
上記多数の格子６…のうち固定枠３に当接する先端側の格子６が端部可動枠６ａされ、この先端格子６（端部可動枠６ａ）と後続の２つの格子６，６との３つの格子は、面格子２の開閉操作がスムーズに行なえるように連結部材２２により相互に一定間隔に連結されている（先端の端部可動枠６ａのみではガタついて開閉操作がスムーズに行なえない）。そして、これら相互に連結された３つの格子６ａ，６，６と後続の１つの（４番目の）格子６との間には、これら先端側の３つの格子６ａ，６，６を常時開放側へ付勢するコイルバネ２１が介装されている。尚、端部可動枠６ａと反対側の端部にある格子６は上下ガイドレール５，５の夫々端部に固定されている。
【００１１】
しかして、この面格子２の開閉操作にあたっては、端部可動枠６ａが固定枠３に接近するように先端側の３つの格子６ａ，６，６をスライド操作すると、後続の格子６が紐状体で順次牽引されて一定間隔毎に配列され、図１の(a) のように窓開口部１が閉鎖される。また、図１の(b) に示すように端部可動枠を含む先端側３つの格子６ａ，６，６を固定枠３から離れる方向にスライドさせると、後続の格子６も順次開放方向へ押されて、格子６全体が他端側へ片寄り状態に収縮して、窓開口部１が開放されるようになっている。
【００１２】
上記面格子２を閉鎖位置に施錠する開閉仕切具施錠機構４は、窓開口部１の固定枠３と面格子２の端部可動枠６ａとの間に介装されたもので、以下にこの施錠機構４の構造及び作用について図２〜図６を参照しながら説明する。図２の(a) は図１の(a) の一部拡大図であり、図２の(b) は同図の(a) のＸ−Ｘ線に概ね沿って断面した断面図であり、図３〜図６は施錠機構４の動作を説明する説明図である。
【００１３】
この施錠機構４は、図２の(a) に示すように、常時バネ２１で開放側へ付勢される端部可動枠６ａの上下２箇所に取り付けられた係止片７と、この係止片７に対し係脱自在な被係止片８を上下両端部に有し、固定枠３内で係止片７が被係止片８に係止する施錠位置と係止片７が被係止片８に対して離脱する解錠位置とに亘って上下スライド自在なスライド杆９と、このスライド杆９を施錠位置に付勢するコイルバネ１０と、固定枠３内に設置した駆動用モータ１１によって駆動されるネジ軸１２の回転により上下動のみ可能なガイドブロック１３と、スライド杆９からガイドブロック１３の上側へ突設されていて、ガイドブロック１３の上動に伴い押し上げられてスライド杆９を上方へスライドさせる押上ピン１５と、平常時はコイルバネ１０の付勢力によって施錠位置に保持されているスライド杆９を、火事等の緊急時に火災感知器が熱又は煙を検知した検知信号により駆動用モータ１１を回転させてガイドブロック１３を上動させ、それによってスライド杆９を解錠位置へスライドさせ、面格子２の開放後、駆動用モータ１１を逆回転させてガイドブロック１３をスライド杆９が施錠位置へ戻る位置まで下動させるように制御する制御手段１４（図１参照）とから構成され、制御手段１４はマイクロコンピューターからなるものである。
【００１４】
上記施錠機構４の構造について更に詳しく説明すると、スライド杆９は、図２の(a) ，(b) から分かるように、固定枠３の室外側壁部３ａと室内側壁部３ｂの間の室外側寄りに介在する隔壁３ｃの裏側両端部に設けられたガイド溝１６に上下スライド自在に支持されていて、上下２箇所にある被係止片８，８に端部可動枠６ａ側の係止片７，７が係止した状態で、コイルバネ１０により施錠位置に保持されている。このバネ１０は、スライド杆９の下端部と固定枠３の下端部との間に介装されている。
【００１５】
また、図２の(a) に示すように、端部可動枠６ａに取付部７ｏを介して取り付けられた係止片７は略上向きＬ字状に形成され、この係止片７が係止するスライド杆９の被係止片８は略下向きコ字状に形成され、そしてこれら係止片７と被係止片８との対向端部には、互いにテーパ係合するテーパ部７ｔ，８ｔが形成されている。これらテーパ部７ｔ，８ｔは、図６によって後述するように、開放位置にある面格子２を閉鎖する際に、係止片７のテーパ部７ｔを被係止片８のテーパ部８ｔに衝当させることにより、そのテーパ作用により係止片７を被係止片８に係止させて、ワンタッチで面格子２を施錠できるようにするためのものである。
【００１６】
駆動用モータ１１は正逆回転可能なモータからなるもので、このモータ１１を固定枠３内の所要位置に固定して、モータ１１の回転軸１１ｏにネジ軸１２を同軸一体に連結し、このネジ軸１２を、固定枠３内で上下動のみ可能なガイドブロック１３のネジ孔１３ａに螺合し、このネジ軸１２をモータ１１で正逆回転させることによりガイドブロック１３を上下動させるようにしている。ガイドブロック１３は、矩形体状に形成されて、その室内側側面に凹所１３ｏを有するもので、図２の(a) ，(b) に示すように、固定枠３の室内側壁部３ｂと隔壁３ｃと左右側壁部３ｄ，３ｄとの間で上下方向スライド自在に支持されている。スライド杆９には室内側側面の所要箇所に押上ピン１５が垂直に一体に突設され、この押上ピン１５は、スライド杆９に貫設した長孔１７を貫通して、ガイドブロック１３の上側に突出している。
【００１７】
図２の(a) ，(b) において、１８は駆動用モータ１１によるネジ軸１２の回転によってガイドブロック１３がスライド杆９の解錠位置である上動限位置まで上動した時にその上動限位置を検知するリミットスイッチ（上動限用スイッチ）で、ガイドブロック１３の上方所定位置で固定枠３に固定されている。１８ａはタッチレバーを示す。また１９はネジ軸１２の逆回転によりガイドブロック１３がその上動限位置から下動する時にスライド杆９の施錠位置である下限位置を検知するリミットスイッチ（下動限用スイッチ）で、ガイドブロック１３の凹所１３ｏ内に位置して、固定枠３に固定されている。１９ａはタッチレバーを示す。
【００１８】
また図１〜図６において、２０は開閉仕切具としての面格子２が開放したことを検知するリードスイッチ（仕切具開放検知用スイッチ）、２０ａは固定枠側リード片、２０ｂは仕切具側リード片で、両リード片２０ａ，２０ｂが近接している時はスイッチオフの状態にあり、端部可動枠６ａが固定枠３から離れて面格子２が開放する時に仕切具側リード片２０ｂが固定枠側リード片２０ａから離間しスイッチオンとなって、この検知信号によりブザー（図示せず）を鳴らしたり、又は点滅信号を発するようになっている。尚、リードスイッチは一例であって、リミットスイッチなど他のスイッチを使用できる。
【００１９】
また、制御手段１４は、具体的には、火事等の緊急時に火災感知器が熱又は煙を検知した検知信号によって駆動用モータ１１を回転させ、このモータ１１の回転によりネジ軸１２を回転させてガイドブロック１３を上動させ、これにより押上ピン１５を押し上げて、施錠位置にあったスライド杆９を上方へスライドさせ、ガイドブロック１３がリミットスイッチ１８を蹴ると、モータ１１が逆回転して、ガイドブロック１３を下動させ、この下動に伴ってスライド杆９がコイルバネ１０の付勢力で施錠位置へ下方へスライドし、このガイドブロック１３がリミットスイッチ１９を蹴ることによりモータ１１が停止して、ガイドブロック１３をスライド杆９の施錠位置に保持すべく制御するようになっている。
【００２０】
火災感知器Ｋは、屋内の所要箇所に設置されている既設（又は新設）の火災感知器で、熱又は煙を検知し、この検知信号によって警報音を鳴らすもので、この検知信号はまた、制御手段１４を通じてモータ１１に送られるようになっている。
【００２１】
次に、上記したような構成よりなる開閉仕切具施錠機構４の作用について説明すると、平常時は、スライド杆９は、図２の実線図示及び図３の図示のように、固定枠３側の被係止片８が面格子２の端部可動枠６ａにある係止片７に係止した状態で、コイルバネ１０の付勢力で下方へ引張されて施錠位置に保持され、これにより面格子２は図１の(a) 及び図３に示す閉鎖位置に施錠されている。
【００２２】
しかして、火災発生時等の緊急時に火災感知器Ｋが熱又は煙を検知すると、その検知信号が制御手段１４から駆動用モータ１１に送られて、このモータ１１の回転によるネジ軸１２の回転によりガイドブロック１３が上動を開始し、このガイドブロック１３の上動に伴って、施錠位置にあったスライド杆９が押上ピン１５を介して上方へスライドし、スライド杆９の被係止片８が端部可動枠６ａ側の係止片７から離脱すると、面格子２の端部可動枠６ａは、この端部可動枠６ａを常時開放側へ付勢しているコイルバネ２１の付勢力によって図４の仮想線図示のように固定枠３から離れるように移動し、面格子２は自動的に部分開放される。この時、リードスイッチ（仕切具開放検知用スイッチ）２０がスイッチオンとなり、この検知信号によりブザーを鳴らし、又は点滅信号を発して、面格子２の開放を知らせる。
【００２３】
面格子２は、上記のように自動的に部分開放されるので、端部可動枠６ａに手を添えてさらに開放させることができる。従って、屋内の住人は、開放された窓開口部１から緊急脱出することができ、また屋内の住人を屋外から救出できる。この時、面格子２の開放操作は、室内側、室外側の何れの側からでも行なうことができる。
【００２４】
また、面格子２の開放後も上動するガイドブロック１３がリミットスイッチ（上動限用スイッチ）１８を蹴ると、駆動用モータ１１が逆回転して、ガイドブロック１３が下動を開始する。このガイドブロック１３の下動に伴い、スライド杆９は、ガイドブロック１３の上端面にあずけられている押上ピン１５を介してコイルバネ１０の付勢力にて図５の仮想線図示のように施錠位置へと下方へスライドし、しかしてガイドブロック１３がリミットスイッチ（下動限用スイッチ）１９を蹴ることによりモータ１１が停止して、スライド杆９は、図５の実線図示のように、端部可動枠６ａ側の係止片７が離脱した状態の施錠位置に保持される。
【００２５】
上記のように面格子２を開放すれば、スライド杆９が図５の実線図示のような施錠位置に保持されるから、この状態で面格子２を閉鎖する時は、開放された面格子２の端部可動枠６ａを図６の仮想線で示すような位置から同図実線図示のように固定枠３側へスライドさせて、端部可動枠６ａ側の係止片７のテーパ部７ｔを固定枠３側の被係止片８のテーパ部８ｔに衝当させると、そのテーパ部７ｔ，８ｔでのテーパ作用によってスライド杆９がコイルバネ１０の付勢力に抗して一時的に押し上げられる結果、係止片７が被係止片８に係止し、図６の仮想線図示及び図３の実線図示のように施錠状態となり、面格子２は施錠位置に施錠される。要するに、面格子２を閉じる方向にスライドさせて固定枠３に突き当てるようにすれば、係止片７のテーパ部７ｔが固定枠３側の被係止片８のテーパ部８ｔに衝当して、そのテーパ作用によって係止片７が被係止片８に係止するから、ワンタッチで面格子２を施錠することができる。
【００２６】
以上、本発明に係る開閉仕切具施錠機構４を、開閉仕切具として図１に示すような面格子２に使用する場合について説明したが、この開閉仕切具施錠機構４が適用される開閉仕切具は、面格子に限らず、引き違い戸、扉（開き戸、ドア）、シャッター等を含むものである。また本発明の開閉仕切具施錠機構４は、引き込みタイプの開閉仕切具、一部取外しタイプの開閉仕切具等にも適用可能である。また開閉仕切具としての面格子は、この実施形態に示したスライドタイプのもの以外の例えば開きタイプなど各種の面格子を使用できる。
【００２７】
上述した実施形態に示した係止片７及び被係止片８の構造は、あくまでもスライド式面格子２に使用される構造であって、開き戸や引き込みタイプの開閉仕切具に使用する場合は、その係止片及び被係止片を、開き戸や引き込みタイプの開閉仕切具に対応し得る構造とすればよいわけである。
【００２８】
また、この実施形態では、ガイドブロック１３は、押上ピン１５を介してスライド杆９が解錠位置に達するまで上動した時、上動限用スイッチ１８の検知による駆動用モータ１１の逆回転により下動を開始し、スライド杆９が施錠位置へ戻る位置まで下動した時、下動限用スイッチ１９の検知により停止するようになっているから、制御手段１４によるスライド杆９の施錠位置から解錠位置へのスライド動作及び解錠位置から施錠位置へのスライド動作を的確に行なわせることができる。
【図面の簡単な説明】
【００２９】
【図１】(a) は開閉仕切具として用いた面格子が閉鎖位置にある状態を室内側から見た正面図、(b) は同面格子が一部開放位置にある状態の正面図である。
【図２】(a) は図１の(a) の一部拡大図であり、(b) は図２の(a) のＸ−Ｘ線に概ね沿って断面した断面図である。
【図３】スライド杆が施錠位置にある状態を示す説明図である。
【図４】スライド杆が解錠位置まで上方へスライドする状態を示す説明図である。
【図５】係止片が被係止片から離脱して開閉仕切具（面格子）が開放された状態を示す説明図である。
【図６】開放した開閉仕切具（面格子）を閉じる際に、係止片のテーパ部を被係止片のテーパ部に衝当させて施錠する状態を示す説明図である。
【符号の説明】
【００３０】
１            窓開口部（開口部）
２            面格子（開閉仕切具）
３            固定枠
４            開閉仕切具施錠機構
６ａ          端部可動枠
７            係止片
８            被係止片
９            スライド杆
Ｋ            火災感知器
１０          コイルバネ
１１          駆動用モータ
１２          ネジ軸
１３          ガイドブロック
１４          制御手段
【図１】
2008069530.tif 000003
【図２】
2008069530.tif 000004
【図３】
2008069530.tif 000005
【図４】
2008069530.tif 000006
【図５】
2008069530.tif 000007
【図６】
2008069530.tif 000008